(57)【要約】【課題】レバーを無理なく組み付けることの可能なレバー式コネクタを提供する。【解決手段】ハウジング１０と、ハウジング１０に回動可能に装着され、一対のアーム板４１が操作部４２によって連結されたレバー４０と、を備え、レバー４０を回動させることで相手方コネクタと嵌合可能なレバー式コネクタ１であって、ハウジング１０の外側面１２には、一対の支持軸２１が突出して設けられ、一対のアーム板４１は一対の軸孔４３を有し、一対の支持軸２１に乗り上げながら開き変形を開始し、一対の支持軸２１を乗り越えると一対の支持軸２１が一対の軸孔４３に嵌まり込むことで復帰するようになっており、アーム板４１は、操作部４２に向けて傾斜する傾斜受け面４５を有し、支持軸２１の突出端には、一対のアーム板４１の乗り上げ初期位置で傾斜受け面４５に面接触する傾斜面２１Ａが設けられている。【選択図】図７
2019021494.tif 000002
【特許請求の範囲】
【請求項１】
ハウジングと、前記ハウジングに回動可能に装着され、一対のアーム板が操作部によって連結されたレバーと、を備え、前記レバーを回動させることで相手方コネクタと嵌合可能なレバー式コネクタであって、
前記ハウジングの外側面には、一対の支持軸が突出して設けられ、
前記一対のアーム板は一対の軸孔を有し、前記一対の支持軸に乗り上げながら開き変形を開始し、前記一対の支持軸を乗り越えると前記一対の支持軸が前記一対の軸孔に嵌まり込むことで復帰するようになっており、
前記アーム板は、前記操作部に向けて傾斜する傾斜受け面を有し、
前記支持軸の突出端には、前記一対のアーム板の乗り上げ初期位置で前記傾斜受け面に面接触する傾斜面が設けられているレバー式コネクタ。
【請求項２】
前記アーム板には被ガイド部が設けられ、前記被ガイド部と前記操作部と前記軸孔とが直線状に並んで設けられ、
前記レバーを前記ハウジングに組み付けた初期の位置を組付初期位置とし、
前記ハウジングの外側面には、前記被ガイド部を案内するガイド部が前記組付初期位置から前記乗り上げ初期位置の間に設けられている請求項１に記載のレバー式コネクタ。
【請求項３】
前記被ガイド部は、前記アーム板の内側面に突設された突条片を備え、
前記ガイド部は、前記ハウジングの外側面から突設された一対のガイドレールを備え、
前記突条片が前記一対のガイドレールの間に進入する請求項２に記載のレバー式コネクタ。
【請求項４】
前記レバーは、前記一対のアーム板が前記一対の支持軸を乗り越えると前記一対の支持軸が前記一対の軸孔に嵌まり込むことで復帰した組付完了位置から前記相手方コネクタを嵌合させるための嵌合初期位置まで回動可能とされるとともに、前記嵌合初期位置から前記組付完了位置に回動することで前記相手方コネクタを前記ハウジングに嵌合可能とされ、
前記アーム板には、前記レバーの回動方向に直交する方向に撓み変位可能な舌片形状をなす撓み片と、前記撓み片の先端に設けられ前記レバーの回動方向と直交する方向に逆テーパ形状に突出するロック爪と、を備えるロック部が設けられ、
前記ハウジングの前記外側面には、前記ロック爪の回動軌跡上において逆テーパ形状に突出し、前記ロック爪が係止可能なロック受け部が設けられ、
前記嵌合初期位置から前記組付完了位置までの間において、前記ロック爪が前記ロック受け部に係止し回動規制された状態で、前記撓み片が前記アーム板の内方に相対的に入り込んだ状態となって撓み変位が規制される請求項１から請求項３のいずれか一項に記載のレバー式コネクタ。
【発明の詳細な説明】
【技術分野】
【０００１】
本明細書に開示された技術は、レバー式コネクタに関する。
【背景技術】
【０００２】
従来、相手方コネクタと嵌合するためのレバーを備えるコネクタとして、例えば特許文献１のものが知られている。このレバー式コネクタは、コネクタ本体と、レバーとを備えて構成されている。コネクタ本体の両外側面には、支持軸が突設されている。レバーは、コネクタ本体の両外側面に配される一対のアーム部と、一対のアーム部を連結する操作部とを備えている。各アーム部は、軸受孔と、アーム部の外縁から軸受孔まで溝状をなして設けられたガイド部と、ガイド部の両側壁の間に設けられた傾斜面とを備えている。そして、レバーをコネクタ本体に組み付ける際には、コネクタ本体の支持軸の先端部をアーム部の傾斜面に摺接させつつ、ガイド部の両側壁によって軸受孔まで案内するようになっている。
【先行技術文献】
【特許文献】
【０００３】
【特許文献１】特開平１０−３２１２８９号公報
【発明の概要】
【発明が解決しようとする課題】
【０００４】
しかしこの技術では、両アーム部は操作部を基端として片開きするため、支持軸の先端とガイド部の傾斜面とは点状に接触することになる。このため、支持軸を軸受孔に押し込む間、支持軸の先端がガイド部の傾斜面に対して点状に不安定に接触し、かつガイド部の両側壁間において自由に移動できることになる。しかも、支持軸が軸受孔に嵌る直前、すなわちアーム部の開きがピークに達し支持軸に対する抵抗力が最大となるときに、アーム部の捻れの度合いも最大となるから、アーム部の弾性に抗して支持軸を軸受孔に押し込む際に、支持軸が嵌合方向から外れる方向に変位してガイド部の側壁を乗り越えてしまい、正しく装着できないことがある。
【課題を解決するための手段】
【０００５】
本明細書に開示された技術に係るレバー式コネクタは、ハウジングと、前記ハウジングに回動可能に装着され、一対のアーム板が操作部によって連結されたレバーと、を備え、前記レバーを回動させることで相手方コネクタと嵌合可能なレバー式コネクタであって、前記ハウジングの外側面には、一対の支持軸が突出して設けられ、前記一対のアーム板は一対の軸孔を有し、前記一対の支持軸に乗り上げながら開き変形を開始し、前記一対の支持軸を乗り越えると前記一対の支持軸が前記一対の軸孔に嵌まり込むことで復帰するようになっており、前記アーム板は、前記操作部に向けて傾斜する傾斜受け面を有し、前記支持軸の突出端には、前記一対のアーム板の乗り上げ初期位置で前記傾斜受け面に面接触する傾斜面が設けられている。
【０００６】
レバーをハウジングに対して押し込んで装着する際に、一対のアーム板が一対の支持軸に乗り上げながら開き変形を開始し、一対の支持軸が一対の軸孔に嵌まり込むことで復帰するところ、一対のアーム板が開き変形を開始する際にレバーの押し込み力が最も大きくなる。ここで、アーム板の傾斜受け面は操作部に向けて傾斜しているから、一対のアーム板が操作部を基端として開き変形する際にアーム板が片開きすることなく傾斜面が傾斜受け面に乗り上げる。したがって、レバーがハウジングに対して安定した姿勢で乗り上げ動作が開始され、レバーがハウジングに対して正規の装着姿勢を維持したまま一気に装着されることになる（慣性ロックと同様の動作）。
【０００７】
前記アーム板には被ガイド部が設けられ、前記被ガイド部と前記操作部と前記軸孔とが直線状に並んで設けられ、前記レバーを前記ハウジングに組み付けた最初の位置を組付初期位置とし、前記ハウジングの外側面には、前記被ガイド部を案内するガイド部が前記組付初期位置から前記乗り上げ初期位置の間に設けられている構成としてもよい。
【０００８】
この構成によれば、被ガイド部をハウジングのガイド部に沿って直線状に変位させるだけで傾斜面と傾斜受け面を互いに面接触させることができる。また、傾斜受け面が傾斜面に乗り上げる際においても、ガイド部の案内方向にそのまま変位して支持軸に乗り上げることができる。
【０００９】
前記被ガイド部は、前記アーム板の内側面に突設された突条片を備え、前記ガイド部は、前記ハウジングの外側面から突設された一対のガイドレールを備え、前記突条片が前記一対のガイドレールの間に進入する構成としてもよい。
【００１０】
この構成によれば、突条片がガイドレールの間に進入してガイドレールにより進行方向を案内されるから、レバーを組付初期位置から乗り上げ初期位置に向けて確実に案内することができる。
【００１１】
前記レバーは、前記一対のアーム板が前記一対の支持軸を乗り越えると前記一対の支持軸が前記一対の軸孔に嵌まり込むことで復帰した組付完了位置から前記相手方コネクタを嵌合させるための嵌合初期位置まで回動可能とされるとともに、前記嵌合初期位置から前記組付完了位置に回動することで前記相手方コネクタを前記ハウジングに嵌合可能とされ、前記アーム板には、前記レバーの回動方向に直交する方向に撓み変位可能な舌片形状をなす撓み片と、前記撓み片の先端に設けられ前記レバーの回動方向と直交する方向に逆テーパ形状に突出するロック爪と、を備えるロック部が設けられ、前記ハウジングの前記外側面には、前記ロック爪の回動軌跡上において逆テーパ形状に突出し、前記ロック爪が係止可能なロック受け部が設けられ、前記嵌合初期位置から前記組付完了位置までの間において、前記ロック爪が前記ロック受け部に係止し回動規制された状態で、前記撓み片が前記アーム板の内方に相対的に入り込んだ状態となって撓み変位が規制される構成としてもよい。
【００１２】
この構成によれば、前記嵌合初期位置から前記組付完了位置までの間において、ロック爪がロック受け部に係止することでレバーの回動を規制するとともに、撓み片がアーム板の内方に相対的に入り込んだ状態となって撓み変位が規制される。これにより、ロック部がロック受け部が係止した状態においてレバーが無理に回動されようとしたときに、ロック部がアーム板の外方に撓み変位してロック受け部との係止が解除されることを抑制することができる。
【発明の効果】
【００１３】
本明細書に開示された技術によれば、レバーを無理なく組み付けることの可能なレバー式コネクタを提供することができる。
【図面の簡単な説明】
【００１４】
【図１】実施形態に係るレバー付きコネクタを示す図
【図２】レバーがコネクタに対して組付前の位置に配された状態を示す図
【図３】レバーの正面図
【図４】図３のＡ−Ａ断面図
【図５】レバーの対向面を示す図
【図６】レバーの側面図
【図７】レバーが組付初期位置に配置された状態を示す図
【図８】レバーが乗り上げ初期位置に配置された状態を示す図
【図９】レバーが乗り上げている状態を示す断面図
【図１０】レバーが組付完了位置に配置された状態を示す断面図
【図１１】図１０の背面図
【図１２】図１１のＢ−Ｂ断面図
【図１３】レバーが嵌合初期位置に配置された状態を示す図
【図１４】図１３の断面図
【図１５】図１３のＣ−Ｃ断面図
【図１６】図１３のＤ−Ｄ断面図
【図１７】レバーが回動規制された状態を示す図
【図１８】図１７のＥ−Ｅ断面図
【図１９】ロック部の変形例を示す図
【発明を実施するための形態】
【００１５】
＜実施形態＞
本明細書に開示された技術に係る一実施形態を、図１から図１８によって説明する。本実施形態におけるレバー式コネクタ１は、図１に示すように、ハウジング１０と、レバー４０と、を備えて構成されている。レバー４０はハウジング１０に対して回動可能に装着されており、このレバー４０を回動方向Ｒ１に回動操作することによってハウジング１０が図示しない相手方コネクタに対して嵌合および離脱可能とされている。以下においては、ハウジング１０の相手方コネクタに対する嵌合側を前側として説明する。また、複数の同一部材については、一の部材に符号を付し、他の部材については符号を省略することがある。
【００１６】
ハウジング１０は合成樹脂製であって、全体としてやや扁平な略直方体形状をなしている。ハウジング１０の内部には、図１２に示すように、前後方向に貫通する形態をなすキャビティ１１が形成されている。キャビティ１１の内部には、図８に示すように、雌端子ＦＴが収容され、ハウジング１０と相手方コネクタの嵌合に伴って相手方コネクタに収容された図示しない雄端子に嵌合して接続されるようになっている。キャビティ１１の背面側の開口からは、雌端子ＦＴに接続された図示しない電線が延出している。
【００１７】
図２に示すように、ハウジング１０の前側は相手方コネクタに嵌入するコネクタ嵌入部１３とされ、後ろ側はレバー４０が装着されるレバー装着部２０となっている。
【００１８】
レバー装着部２０は、互いに平行な一対の外側面１２、１２を備えている。各外側面１２には、レバー４０を回動可能に支持するための支持軸２１と、レバー４０を支持軸２１に案内するためのガイド部２２と、閉鎖突部２３と、レバー４０を内側から支える面状突部２４と、が突設されている。一方の外側面１２に設けられたこれらの部材と、他方の外側面１２に設けられたこれらの部材とは、各々ハウジング１０の前後方向および左右方向において実質的に対応する位置に設けられている。
【００１９】
支持軸２１は、円柱形状をなして外側面１２から突出している。支持軸２１の突出端のうち左右方向における中央部分は、図２における左方に傾斜する傾斜面２１Ａとされている。傾斜面２１Ａよりも左側および右側の各部分はそれぞれ、外側面１２に対して平行な第一平坦面２１Ｂおよび第二平坦面２１Ｃとなっている。支持軸２１の右端部には、レバー４０の支持軸２１からの抜け落ちを防止する保持突部２５が張り出し形成されている。保持突部２０の突出端は、第二平坦面２１Ｃと同平面をなす平坦面となっている。
【００２０】
ガイド部２２は、前後一対のレールにより構成されて、レバー装着部２０の左端と支持軸２１との間に設けられている。後側レール２２Ｂは前側レール２２Ａよりも短寸となっている。後側レール２２Ｂと前側レール２２Ａは互いに平行に配されている。後側レール２２Ｂの右端と前側レール２２Ａの右端とは左右方向において同じ位置とされている。前側レール２２Ａと後側レール２２Ｂの間は、後述するアーム板４１の突条片４４が側方に変位するための側方案内路２７となっている。ガイド部２２と支持軸２１の間には間隙が設けられて、アーム部の突条片４４を後方に逃がすための逃がし部２８となっている。
【００２１】
閉鎖突部２３はレバー装着部２０の左端において、ガイド部２２と並んで設けられている。閉鎖突部２３の右端と後側レール２２Ｂの間は、アーム板４１の突条片４４が進入するための導入部２６となっている。閉鎖突部２３の右端は直線形状をなすとともに、略中央において前側レール２２Ａと連続している。すなわち、導入部２６は左方および前方を閉鎖突部２３および前側レール２２Ａによって閉鎖されている。
【００２２】
面状突部２４は、支持軸２１の右方に配されている。面状突部２４は、レバー装着部２０の後端からコネクタ嵌入部１３に張り出し、さらに支持軸２１の突出端の近傍に向かって大きく湾曲したＪ字形状をなしている。面状突部２４の突出端は、平坦面となっている。面状突部２４の湾曲内側面は、底面（外側面１２のうち湾曲内側面に囲まれた領域）に向かって裾広がりとなるテーパ形状をなし、ロック収容凹部３０の側壁となっている。
【００２３】
面状突部２４の湾曲外側面には、後述するレバー４０のロック爪５０Ｂが係止するためのロック受け部３１が形成されている。ロック受け部３１は、図１５に示すように、外側面１２に対して逆テーパをなす平坦面である。ロック受け部３１は、支持軸２１の軸心Ｐ１を中心としてロック収容凹部３０の底面中央を通る回動軌跡Ｒ２と直交している。
【００２４】
レバー４０は、図２および図３に示すように、コネクタ装着部２０の両外側面１２に沿って配される一対のアーム板４１と、両アーム板４１同士を連結する操作部４２と、を備え、全体として略門形状に構成されている。
【００２５】
各アーム板４１の互いに対向する対向面４１Ａには、図４に示すように、軸孔４３と、突条片４４（被ガイド部の一例）と、傾斜受け面４５と、ロック部５０と、ロックカバー部５２と、が設けられている。
【００２６】
軸孔４３は、図４および図５に示すように、アーム板４１を板厚方向に貫通して円形状に形成されている。軸孔４３のうち操作部４２から遠い側の開口縁には、支持軸２１の保持突部２５に対応する形状の装着溝４６が形成されている。
【００２７】
突条片４４は左右に延びる突条形状をなして、操作部４２と軸孔４３との間に設けられている。
【００２８】
傾斜受け面４５は、対向面４１Ａの図４における右端に形成された、右縁に向かって外方に寄る（すなわち、操作部４２に向かって傾斜する）テーパ面である。
【００２９】
図４において、軸孔４３の右方には、略Ｕ字形状のスリット４９が形成されている。スリット４９の図４における上端は、スリット４９の左右幅と直径を同じくする半円形状となっている。
【００３０】
ロック部５０は、スリット４９により他の部分から分離された舌片形状の部分である。ロック部５０は、図１５に示す上方を基端とする撓み片５０Ａと、撓み片５０Ａの自由端に設けられたロック爪５０Ｂと、を備えている。撓み片５０Ａは、レバー４０の回動方向Ｒ１と直交する方向に撓み変位可能とされている。ロック爪５０Ｂは、図１５に示すように、レバー４０の回動方向Ｒ１と直交する方向において、他方のアーム板４１に向かって逆テーパ形状に突出している。
なお、アーム板４１は、スリット４９を境として凹凸形状に形成されている。これにより、撓み片５０Ａは、図１６に示すように、撓み変位していない状態において全体がアーム板４１の外面よりも内方（図１６における下方）に位置するように形成されている。
【００３１】
ロックカバー部５２は、ロック部５０と隣接して設けられている。ロックカバー部５２は、スリット４９のうちロック部５０から見て操作部４２に近い縁部を一端として設けられ、アーム板４１の対向面４１Ａ側を凹ませ外面側を残した形状に形成されている。ロックカバー部５２は、ハウジング１０の外側面１２に対向する天井部５２Ａと、天井部５２Ａと直交し、かつロックカバー部５２の図４における左奥からロック部５０の基端に向かう方向に沿って配された側壁部５２Ｂと、を備えている。天井部５２Ａは、スリット４９の左縁からロックカバー部５２の左奥に向かって次第に厚肉となるテーパ形状に形成されている。
【００３２】
なお、アーム板４１には上述の構成の他、相手方コネクタのカムピンが嵌入するためのカム溝６０が形成されている。カム溝６０は、アーム板４１の右下角部から軸孔４３に近づくように延びて配され、他よりも薄肉とした凹形状に形成されている。
【００３３】
レバー４０をハウジング１０に組み付けるには、まず、ハウジング１０から後方に延出する電線を両アーム板４１、４１の間に配しつつ、図２に示すように、レバー４０を側方からハウジング１０の後方にアーム板４１の突条片４４をハウジング１０の導入部２６の後方に位置合わせした状態に配置する。そして、レバー４０全体を前方（図２において矢印Ｙが指し示す方向）に移動させる。すると、図７に示すように、突条片４４が導入部２６を通過し、前側レール２２Ａに突き当たってそれより前方への変位が規制され、側方案内路２７の左方に配置されるとともに、ロック部５０のロック爪５０Ｂが逃がし部２８を通過して、前側レール２２Ａの右端に隣接し左方への変位が規制された位置に配置される。これを組付初期位置という。
【００３４】
次に、レバー４０の操作部４２を、ハウジング１０に向かって（すなわち図７において矢印Ｘの指し示す方向に）押し込む。すると、突条片４４が右方に変位して側方案内路２７に進入し、前側レール２２Ａおよび後側レール２２Ｂによって案内されつつ側方案内路２７を右方に進む。すなわち、レバー４０は操作部４２と突条片４４の並び方向を電線の延出方向に対して直交する方向に配した状態で、電線の延出方向に対して直交する方向に案内される。
【００３５】
そして、図８に示すように、傾斜受け面４５が支持軸２１の傾斜面２１Ａに到達し、互いに面接触した状態となる。これを乗り上げ初期位置という。すなわち、レバー４０はガイド部２２により組付初期位置から乗り上げ初期位置まで案内される。
【００３６】
そして、レバー４０は、乗り上げ初期位置から、慣性によりそのまま右方に変位し、支持軸２１に乗り上げを開始する。なおこのとき、支持軸２１に乗り上げる際の応力が大きく慣性だけでは支持軸２１に乗り上げられない場合には、さらに操作部４２を側方（図２において矢印Ｙが指し示す方向）に押しこんでやってもよい。すると、図９に示すように、レバー４０は、支持軸２１に乗り上げて、アーム板４１の対向面４１Ａを支持軸２１に摺接させ右方に移動させながら次第に弾性変形し、突条片４４を次第に案内路２７から外方に退出させながら前後方向に開いていく。このとき、ロック部５０はハウジング１０の外側面１２から次第に大きく離間し、面状突部２４に接触することなく右方へ移動する。
【００３７】
そして、やがて軸孔４３が支持軸２１に到達すると、図１０および図１１に示すように、両アーム板４１が互いに向かって弾性復帰し、軸孔４３が支持軸２１に外嵌するとともに、図１１および図１２に示すように、ロック部５０のロック爪５０Ｂがハウジング１０のロック収容凹部３０に嵌まり込み、右方への変位が規制された状態となって、レバー４０のハウジング１０への組付が完了した状態となる。これを組付完了位置という。
【００３８】
相手方コネクタを嵌合させる際には、レバー４０を組付完了位置から支持軸２１を中心として後方に回動させる。すると、図１３に示すように、支持軸２１の保持突部２５が軸孔４３に対して軸方向から係止し、レバー４０は開きが防止された状態で回動する。また、回動に伴い、レバー４０の突条片４４が逃がし部２８から後方に抜けるとともに、ロック部５０のロック爪５０Ｂが図１４に示す回動軌跡Ｒ２を辿って面状突部２４に弾性的に乗り上げる。やがて、ロック部５０が面状突部２４を乗り越えて弾性復帰し、図１４から図１６に示すように、レバー板の外面よりも内方（ハウジング１０側）に配された状態に戻って、ロック爪５０Ｂがロック受け部３１と対向した状態となる。これを嵌合初期位置という。
【００３９】
そして、レバー４０を嵌合初期位置に配した状態で、コネクタ嵌入部１３に対して相手方コネクタを前方から外嵌させる。すると、相手方コネクタはハウジング１０の外側面１２とロック爪５０Ｂとの間に進入し、ロック爪５０Ｂをロック受け部３１と対向しない位置まで押し出す。これにより、ロック爪５０Ｂとロック受け部３１との係止が解除解除されて、レバー４０の回動が可能となる。
【００４０】
そして、レバー４０を組付完了位置に向かって回動させると、突条片４４が逃がし部２８に向かって移動するとともに、ロック爪５０Ｂが回動軌跡Ｒ２を辿って面状突部２４に乗り上げつつロック収容凹部３０に向かう。これとともに、カム溝６０が相手方コネクタのカムピンを支持軸２１に向かって引き寄せる。そして、レバー４０が組付完了位置に戻り、ロック爪５０Ｂがロック収容凹部３０内に戻って、ハウジング１０と相手方コネクタとの嵌合が完了する。
【００４１】
なお、レバー４０を嵌合初期位置に配した後、相手方コネクタを外嵌させない状態で組付完了位置に向かって回動させようとすると、ロック爪５０Ｂが回動軌跡Ｒ２に直交して配されたロック受け部３１に係止するので、レバー４０はそれ以上の回動が規制された回動規制状態となる。また、これにもかかわらずレバー４０をさらに組付完了位置に向かって回動させようとすると、ロック部５０の撓み片５０Ａがアーム板４１の板面方向にロックカバー部５２に向かって撓み、図１７および図１８に示すように、アーム板４１の内方に相対的に入り込む。すなわち、ロックカバー部５２の天井部５２によって覆われた状態となる。これにより、ロック部５０がレバー４０を無理に回動させる力に屈してハウジング１０に向かう方向とは逆の方向に跳ね上がり、ロック爪５０Ｂとロック受け部３１との係止が不用意に解除されてしまうことが抑制される。
【００４２】
上記の構成によれば、レバー４０をハウジング１０に対して押し込んで装着する際に、一対のアーム板４１が一対の支持軸２１に乗り上げながら開き変形を開始し、一対の支持軸２１が一対の軸孔４３に嵌まり込むことで復帰するところ、一対のアーム板４１が開き変形を開始する際にレバー４０の押し込み力が最も大きくなる。ここで、アーム板４１の傾斜受け面４５は操作部４２に向けて傾斜しているから、一対のアーム板４１が操作部４２を基端として開き変形する際にアーム板４１が片開きすることなく傾斜面２１Ａが傾斜受け面４５に乗り上げる。したがって、レバー４０がハウジング１０に対して安定した姿勢で乗り上げ動作が開始され、レバー４０がハウジング１０に対して正規の装着姿勢を維持したまま一気に装着されることになる（慣性ロックと同様の動作）。
【００４３】
また、突条片４４をハウジング１０のガイド部２２に沿って直線状に変位させるだけで傾斜面２１Ａと傾斜受け面４５とを互いに面接触させることができる。また、傾斜受け面４５が傾斜面２１Ａに乗り上げる際においても、ガイド部２２の案内方向にそのまま変位して支持軸２１に乗り上げることができる。
【００４４】
また、突条片４４がガイドレール２２Ａ、２２Ｂの間に進入してガイドレール２２Ａ、２２Ｂにより進行方向を案内されるから、レバー４０を組付初期位置から乗り上げ初期位置に向けて確実に案内することができる。
【００４５】
また、前記嵌合初期位置から前記組付完了位置までの間において、ロック爪５０Ｂがロック受け部３１に係止することでレバー４０の回動を規制するとともに、撓み片５０Ａがアーム板４１の内方に相対的に入り込んだ状態となって外方への変位が規制される。これにより、ロック部５０がロック受け部３１に係止した状態においてレバー４０が無理に回動されようとしたときに、ロック部５０Ａ，５０Ｂがアーム板４１の外方に跳ね上がってロック受け部３１との係止が解除されることを抑制することができる。
【００４６】
＜変形例＞
次に、本明細書に開示された技術に係る変形例を図１９によって説明する。なお、上記実施形態と対応する構成については、実施形態１の符号に１００を足した符号を用いるものとする。実施形態１と同じ構成、作用、および効果についてはその説明を省略するものとし、実施形態１と同じ構成については同一の符号を用いるものとする。
【００４７】
上記実施形態においてはアーム板４１に形成されたスリット４９の上端を、スリット４９の幅と直径を同じくする半円形状としているのに対し、本変形例においては、図１９におけるスリット１４９の上端をスリット１４９の幅よりも直径の大きい円弧形状とすることで、ロック部１５０の基端をくびれた形状としている。これにより、レバー４０を嵌合初期位置に配した後、相手方コネクタを外嵌させない状態で嵌合初期位置から組付完了位置に向かって無理に回動させたときにロック部１５０がアーム板１４１の板面方向に撓み易くなって、容易にアーム板１４１の下方に入り込むことができる。したがって、ロック部１５０とロック受け部３１との係止状態を確実に維持することができる。
【００４８】
＜他の実施形態＞
本明細書に開示された技術は上記記述及び図面によって説明した実施形態に限定されるものではなく、例えば次のような形態で実施することが可能である。
【００４９】
（１）上記実施形態においては、傾斜受け面４５をアーム板４１の側端に設け、傾斜面２１Ａを支持軸２１の突出端のうち左右方向における中央部分に設けているが、傾斜受け面および傾斜面の設ける場所はこれに限らず、例えば傾斜受け面をアーム板の内面側（他方のアーム板との対向面側）に設けてもよく、また支持軸の突出端全体を傾斜面としてもよい。
【００５０】
（２）上記実施形態においては、レバー４０は被ガイド部（突条片４４）がガイド部２２により案内されて側方案内路２７を進む途中で乗り上げ初期位置に到達するが、被ガイド部が側方案内路の終端に到達したとき、または、その後も慣性でそのまま同じ方向に進むことで、乗り上げ初期位置に到達する構成としてもよい。
【００５１】
（３）上記実施形態においては、ハウジング１０にガイド部２２を設け、レバー４０に被ガイド部４４を設けたが、例えばガイド部２２および被ガイド部４４を省略してもよい。また、組付初期位置と乗り上げ初期位置は必ずしも異なる位置である必要はなく、組付初期位置と乗り上げ初期位置とを同じ位置とする（すなわち、組付初期位置において既にレバーの傾斜受け面と支持軸の傾斜面とが互いに面接触している）構成としてもよい。
【００５２】
（４）上記実施形態においては、アーム板４１に、操作部４２と、被ガイド部４４と、軸孔４３とが並べて配されているが、被ガイド部４４は操作部４２および軸孔４３と並んで配されていなくてもよい。例えば、操作部４２および軸孔４３よりも前方にずらした位置に配し、これに対応してハウジング１０のガイド部２２も前方にずらした位置に配した構成としてもよい。要は、操作部と軸孔との並び方向と、被ガイド部がガイド部により案内される方向とが、実質的に同じであればよい。
【００５３】
（５）上記実施形態においては、ガイド部として一対のガイドレール２２を設け、被ガイド部として突条片４４を設けているが、ガイド部および被ガイド部の形状はこれに限らず、例えば、ガイド部として、前側レール２２Ａと後側レール２２Ｂのうち前側レールの前方に位置する部分とを各突出端において連結した形状の（すなわち側面視でコの字形状または半円形状をなす）半筒体を設けてもよいし、被ガイド部を、円柱形状のピンまたはその他任意の形状の突出体を設けてもよい。
【００５４】
（６）上記実施形態においては、ガイド部として前後一対のレール２２Ａ、２２Ｂを設け、被ガイド部４４として１条の突条片４４を設けているが、ガイド部および被ガイド部の構成はこれに限らない。例えば、ガイド部として前後一対のレールを設けるとともに、被ガイド部として互いに平行な一対の突条片を設け、ガイド部の両レールと被ガイド部の両突条片とを互い違いに配した状態で相互に案内する構成としてもよい。
【００５５】
（７）上記実施形態においては、レバー４０は被ガイド部（突条片４４）がガイド部２２により案内されて側方案内路２７を進む途中で乗り上げ初期位置に到達するが、被ガイド部が側方案内路の終端に到達したとき、またはその後も慣性でそのまま同じ方向に進むことで、乗り上げ初期位置に到達する構成としてもよい。
【符号の説明】
【００５６】
１：レバー式コネクタ
１０：ハウジング
１２：外側面
２１：支持軸
２１Ａ：傾斜面
２２：ガイド部
２２Ａ：前側レール
２２Ｂ：後側レール
４１：アーム板
４２：操作部
４３：軸孔
４４：突条片
４５：傾斜受け面
４０：レバー
５０：ロック部
【図１】
2019021494.tif 000003
【図２】
2019021494.tif 000004
【図３】
2019021494.tif 000005
【図４】
2019021494.tif 000006
【図５】
2019021494.tif 000007
【図６】
2019021494.tif 000008
【図７】
2019021494.tif 000009
【図８】
2019021494.tif 000010
【図９】
2019021494.tif 000011
【図１０】
2019021494.tif 000012
【図１１】
2019021494.tif 000013
【図１２】
2019021494.tif 000014
【図１３】
2019021494.tif 000015
【図１４】
2019021494.tif 000016
【図１５】
2019021494.tif 000017
【図１６】
2019021494.tif 000018
【図１７】
2019021494.tif 000019
【図１８】
2019021494.tif 000020
【図１９】
2019021494.tif 000021
【手続補正書】
【提出日】平成30年6月8日(2018.6.8)
【手続補正１】
【補正対象書類名】明細書
【補正対象項目名】００２０
【補正方法】変更
【補正の内容】
【００２０】
ガイド部２２は、前後一対のレールにより構成されて、レバー装着部２０の左端と支持軸２１との間に設けられている。後側レール２２Ｂは前側レール２２Ａよりも短寸となっている。後側レール２２Ｂと前側レール２２Ａは互いに平行に配されている。後側レール２２Ｂの右端と前側レール２２Ａの右端とは左右方向において同じ位置とされている。前側レール２２Ａと後側レール２２Ｂの間は、後述するアーム板４１の突条片４４が側方に変位するための側方案内路２７となっている。ガイド部２２と支持軸２１の間には間隙が設けられて、アーム板４１の突条片４４を後方に逃がすための逃がし部２８となっている。
【手続補正２】
【補正対象書類名】明細書
【補正対象項目名】００２４
【補正方法】変更
【補正の内容】
【００２４】
レバー４０は、図２および図３に示すように、レバー装着部２０の両外側面１２に沿って配される一対のアーム板４１と、両アーム板４１同士を連結する操作部４２と、を備え、全体として略門形状に構成されている。
【手続補正３】
【補正対象書類名】明細書
【補正対象項目名】００３８
【補正方法】変更
【補正の内容】
【００３８】
相手方コネクタを嵌合させる際には、レバー４０を組付完了位置から支持軸２１を中心として後方に回動させる。すると、図１３に示すように、支持軸２１の保持突部２５が軸孔４３に対して軸方向から係止し、レバー４０は開きが防止された状態で回動する。また、回動に伴い、レバー４０の突条片４４が逃がし部２８から後方に抜けるとともに、ロック部５０のロック爪５０Ｂが図１４に示す回動軌跡Ｒ２を辿って面状突部２４に弾性的に乗り上げる。やがて、ロック部５０が面状突部２４を乗り越えて弾性復帰し、図１４から図１６に示すように、アーム板４１の外面よりも内方（ハウジング１０側）に配された状態に戻って、ロック爪５０Ｂがロック受け部３１と対向した状態となる。これを嵌合初期位置という。
【手続補正４】
【補正対象書類名】明細書
【補正対象項目名】００４１
【補正方法】変更
【補正の内容】
【００４１】
なお、レバー４０を嵌合初期位置に配した後、相手方コネクタを外嵌させない状態で組付完了位置に向かって回動させようとすると、ロック爪５０Ｂが回動軌跡Ｒ２に直交して配されたロック受け部３１に係止するので、レバー４０はそれ以上の回動が規制された回動規制状態となる。また、これにもかかわらずレバー４０をさらに組付完了位置に向かって回動させようとすると、ロック部５０の撓み片５０Ａがアーム板４１の板面方向にロックカバー部５２に向かって撓み、図１７および図１８に示すように、アーム板４１の内方に相対的に入り込む。すなわち、ロックカバー部５２の天井部５２Ａによって覆われた状態となる。これにより、ロック部５０がレバー４０を無理に回動させる力に屈してハウジング１０に向かう方向とは逆の方向に跳ね上がり、ロック爪５０Ｂとロック受け部３１との係止が不用意に解除されてしまうことが抑制される。